(57)【要約】【課題】調光信号の伝送にも対応できる配線レール装置を提供する。【解決手段】配線レール装置10は、配線レール11および一対の調光信号用導体12を備える。配線レール11は、長尺なレール本体15と、レール本体15内の両側に互いに対向しかつレール本体15の長手方向に沿って配設された一対の電源用導体17とを有する。一対の調光信号用導体12は、レール本体15内に長手方向に沿って配設される。【選択図】図１
2018107001.tif 000002
【特許請求の範囲】
【請求項１】
長尺なレール本体と、このレール本体内の両側に互いに対向しかつ前記レール本体の長手方向に沿って配設された一対の電源用導体とを有する配線レールと；
前記レール本体内に長手方向に沿って配設された一対の調光信号用導体と；
を具備することを特徴とする配線レール装置。
【請求項２】
前記調光信号用導体は、前記レール本体内の両側に配設されている
ことを特徴とする請求項１記載の配線レール装置。
【請求項３】
前記調光信号用導体は、前記レール本体内の一側に配設されている
ことを特徴とする請求項１記載の配線レール装置。
【請求項４】
請求項１ないし３いずれか一記載の前記配線レール装置に装着される照明器具であって、
前記レール本体に着脱可能に取り付けられる取付部と；
前記レール本体への前記取付部の取付状態で前記一対の電源用導体に接続される一対の電源端子と；
前記レール本体への前記取付部の取付状態で前記一対の調光信号用導体に接続される一対の調光端子と；
を具備することを特徴とする照明器具。
【発明の詳細な説明】
【技術分野】
【０００１】
本発明の実施形態は、照明器具を装着するための配線レール装置、およびこの配線レール装置に装着される照明器具に関する。
【背景技術】
【０００２】
従来、店舗等の施設では、天井等に長尺の配線レールを設置し、この配線レールの任意の位置に照明器具を装着することにより、照明器具が設置されるとともに、照明器具に配線レールから電源が入力し、照明器具の光源が点灯するように構成されている。
【０００３】
配線レールは、ＪＩＳ１形に適合しているものが多く用いられており、長尺なレール本体内の両側に互いに対向しかつレール本体の長手方向に沿って一対の電源用導体が配設されている。
【０００４】
しかし、配線レールは、照明器具への電源供給には対応しているが、照明器具への調光信号の伝送には対応していなかった。
【先行技術文献】
【特許文献】
【０００５】
【特許文献１】特開２０１３−２１４４７０号公報
【発明の概要】
【発明が解決しようとする課題】
【０００６】
本発明が解決しようとする課題は、調光信号の伝送にも対応できる配線レール装置、およびこの配線レール装置に装着される照明器具を提供することである。
【課題を解決するための手段】
【０００７】
実施形態の配線レール装置は、配線レールおよび一対の調光信号用導体を備える。配線レールは、長尺なレール本体と、レール本体内の両側に互いに対向しかつレール本体の長手方向に沿って配設された一対の電源用導体とを有する。一対の調光信号用導体は、レール本体内に長手方向に沿って配設される。
【発明の効果】
【０００８】
本発明によれば、調光信号の伝送にも対応することが期待できる。
【図面の簡単な説明】
【０００９】
【図１】一実施形態を示す配線レール装置に照明器具を装着した状態の断面図である。
【図２】同上配線レール装置に照明器具を装着した状態の側面図である。
【図３】同上照明器具の斜視図である。
【発明を実施するための形態】
【００１０】
以下、一実施形態を、図１ないし図３を参照して説明する。
【００１１】
図１および図２に示すように、配線レール装置10は、ＪＩＳ１形に適合している長尺な配線レール11を備えているとともに、この配線レール11内に長手方向に沿って配設される一対の調光信号用導体12を備えている。
【００１２】
そして、配線レール11は、長尺なレール本体15、このレール本体15内の両側に配設される一対の支持体（絶縁体）16および一対の電源用導体17を備えている。
【００１３】
レール本体15は、例えば、アルミニウム等の金属製で、押出成形によって同一断面で長尺に形成されている。レール本体15は、上面部20、両側の側面部21、および下面部22を有し、内部に空間部23が形成されているとともに、下面部の中央に開口部24が長手方向に沿って形成されている。レール本体15内の開口部24を挟んだ両側には、両側の側面部21の内壁面との間に、支持体16を取り付けるための取付溝25が形成されている。この取付溝25は、上面部20および下面部22から対向して突設された突部26によって形成されている。
【００１４】
各支持体16は、例えば、絶縁性を有する樹脂製で、押出成形によって同一断面で長尺に形成されている。支持体16は、支持部29、およびこの支持部29から上下方向に突設された取付部30を有している。上下の取付部30がレール本体15の端部からレール本体15の上下の取付溝25に差し込まれて保持され、支持部29がレール本体15の上下の突部26間からレール本体15内の中央側へ向けて突出配置されている。支持部29の先端面には電源用導体17を保持する電源用導体保持溝31が形成されている。そして、一対の支持体16は、同一形状で、共通に用いられている。
【００１５】
各電源用導体17は、長尺な導電板によって構成されている。電源用導体17は、例えば支持体16の端部から電源用導体保持溝31に差し込まれて保持されている。
【００１６】
そして、ＪＩＳ１形に対応している配線レール11は、レール本体15の開口部24の幅寸法、一対の電源用導体17の対向間隔寸法、レール本体15の開口部24からの一対の電源用導体17までの深さ寸法が規定されている。
【００１７】
また、各調光信号用導体12は、長尺な導電板によって構成されている。一対の調光信号用導体12は、レール本体15内の開口部24を挟んだ両側に配設されている。本実施形態では、一対の調光信号用導体12は、両側の支持体16の下面側に配設されている。
【００１８】
各支持体16の下面側には、調光信号用導体12を嵌合して保持するための調光信号用導体保持溝32が形成されている。
【００１９】
そして、このように構成された配線レール装置10は、レール本体15の上面側が天井面等の設置面にねじ止め等によって固定されて設置される。この配線レール装置10の長手方向の任意の位置に、照明器具40を着脱可能に装着して使用することができる。
【００２０】
図１ないし図３に示すように、照明器具40は、調光対応照明器具であり、電源部41、この電源部41の一端側から突設されたアーム部42、およびこのアーム部42に支持された灯体43を備えている。
【００２１】
電源部41は、長方形のボックス45、このボックス45内に収容された図示しない電源回路を備えている。
【００２２】
ボックス45の上部両端部には、配線レール装置10に着脱可能に取り付けられる取付部46，47がそれぞれ回動可能に設けられ、また、ボックス45の両端側には、取付部46，47を回動操作するレバー48，49がそれぞれ突設されている。取付部46，47は長方形状に形成され、取付部46，47の長手方向をレール本体15の開口部24の長手方向に向けた状態で、取付部46，47を開口部24に挿通させることができる。さらに、取付部46，47を開口部24からレール本体15内に挿入した状態で、レバー48，49によって取付部46，47を略９０°回動させることにより、取付部46，47の両端部がレール本体15の下面部22上に係合し、照明器具40が配線レール装置10に取り付けられる。
【００２３】
一方の取付部46側には、取付部46と平行状でかつ取付部46と一体に回動する一対の電源端子50が突設されている。そして、一対の電源端子50は、取付部46とともにレール本体15の開口部24から着脱可能で、取付部46を回動させてレール本体15に取り付けるのに伴って一対の電源用導体17に電気的に接続される。
【００２４】
さらに、一方の取付部46の上面両端部には、一対の調光端子51が配設されている。そして、一対の調光端子51は、取付部46を回動させてレール本体15に取り付けるのに伴って、一対の調光信号用導体12に電気的に接続される。
【００２５】
また、電源回路は、一対の電源端子50から入力される外部電源を所定の点灯電源に変換して灯体43に供給し、また、一対の調光端子51からＰＷＭ信号等の調光信号を入力し、灯体43に供給する点灯電源を制御する。
【００２６】
灯体43は、発光素子等の光源を備え、電源回路から供給される点灯電源によって光源が点灯する。
【００２７】
そして、本実施形態の配線レール装置10は、ＪＩＳ１形に対応している配線レール11内に、その配線レール11の長手方向に沿って一対の調光信号用導体12を配設しているため、装着された調光対応の照明器具40に調光信号を伝送することができる。
【００２８】
しかも、ＪＩＳ１形に対応している配線レール11を用いているため、調光対応の照明装置40を装着して使用できる他に、調光非対応の照明器具を装着して使用できる。
【００２９】
また、一対の調光信号用導体12は、レール本体15内の開口部24を挟んだ両側に配設されているため、照明器具40の一対の調光端子51を接続しやすくできる。さらに、調光信号用導体12を支持体16に設ける場合、両側の支持体16を同一形状として共通化することができる。
【００３０】
また、照明器具40は、レール本体15への取付部46の取付状態で一対の電源用導体17に接続される一対の電源端子50とともに、レール本体15への取付部46の取付状態で一対の調光信号用導体12に接続される一対の調光端子51を備えることにより、調光信号を取得し、灯体43の光源を調光制御することができる。
【００３１】
なお、一対の調光信号用導体12は、レール本体15内の一側に配設してもよい。この場合、一側の支持体16の上下面に一対の調光信号用導体12を配設してもよいし、一側の支持体16の下面に一対の調光信号用導体12を並べて配設してもよい。
【００３２】
また、一対の調光信号用導体12は、絶縁性が確保されれば、レール本体15内の上面側等、レール本体15内のいずれの位置に配設してもよい。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
10    配線レール装置
11    配線レール
12    調光信号用導体
15    レール本体
17    電源用導体
40    照明器具
46，47    取付部
50    電源端子
51    調光端子
【図１】
2018107001.tif 000003
【図２】
2018107001.tif 000004
【図３】
2018107001.tif 000005